(57)【要約】【課題】計量販売における作業負担を軽減するとともに、商品の衛生状態も向上させることができる計量販売システムを提供する。【解決手段】この計量販売システム１では、本体部１０において商品を計量し、その計量値に基づいて販売金額を算出する。そして、算出された販売金額を精算部２０へ転送し、精算部２０において電子マネーによる精算を行う。このため、現金の授受、現金の計数、釣り銭の返却等の作業が不要となり、計量販売における作業負担が軽減する。また、現金を扱うことなく計量販売作業が完了するため、商品の衛生状態も向上する。【選択図】図１
2007225551.tif 000002
【特許請求の範囲】
【請求項１】
商品の計量販売を行う計量販売システムであって、
商品を計量する計量手段と、前記計量手段の計量値に基づいて商品の販売金額を算出する算出手段と、を有する本体部と、
前記販売金額の電子マネーによる精算を行う精算部と、
を備えることを特徴とする計量販売システム。
【請求項２】
請求項１に記載の計量販売システムであって、
前記本体部は、前記精算部の精算動作を能動化させるための指示を入力する入力手段を更に有することを特徴とする計量販売システム。
【請求項３】
請求項１に記載の計量販売システムであって、
前記本体部は、前記本体部の動作状態に応じて前記精算部の精算動作を制御する制御手段を更に有することを特徴とする計量販売システム。
【請求項４】
請求項３に記載の計量販売システムであって、
前記制御手段は、前記計量手段および前記算出手段の動作が完了し、前記販売金額が確定すると、前記精算部の精算動作を能動化させることを特徴とする計量販売システム。
【請求項５】
請求項３または請求項４に記載の計量販売システムであって、
前記制御手段は、前記計量手段から商品が取り除かれると、前記精算部の精算動作を無効化することを特徴とする計量販売システム。
【請求項６】
請求項１から請求項５までのいずれかに記載の計量販売システムであって、
前記本体部は、前記精算部による精算結果を印字出力する出力手段を更に有することを特徴とする計量販売システム。
【請求項７】
請求項６に記載の計量販売システムであって、
前記出力手段は、電子マネーによる精算結果を印字出力する第１の出力ユニットと、現金の授受による精算結果を印字出力する第２の出力ユニットとに切り替え可能であり、
前記出力手段が前記第１の出力ユニットに切り替えられたときに、前記本体部と前記精算部との間の通信が能動化されることを特徴とする計量販売システム。
【請求項８】
請求項１から請求項７までのいずれかに記載の計量販売システムであって、
前記本体部は、前記計量販売システムを、販売者による計量作業を受け付ける第１のモードと、購入者による計量作業を受け付ける第２のモードとに切り替えるモード切替手段を更に有することを特徴とする計量販売システム。
【請求項９】
請求項１から請求項８までのいずれかに記載の計量販売システムであって、
前記本体部は、前記精算部による精算結果を集計する集計手段を更に有することを特徴とする計量販売システム。
【請求項１０】
商品の計量および販売金額の算出を行う計量装置であって、
商品を計量する計量手段と、
前記計量手段の計量値に基づいて前記販売金額を算出する算出手段と、
電子マネーにより精算可能な精算装置と接続することにより、前記算出手段から前記精算装置へ前記販売金額の情報を転送可能にする通信手段と、
を備えることを特徴とする計量装置。
【発明の詳細な説明】
【技術分野】
【０００１】
本発明は、商品の計量販売に使用される計量販売システムおよび計量装置に関する。
【背景技術】
【０００２】
従来より、生鮮食品店などの販売店においては、商品の計量販売（いわゆる、量り売り）が行われている。そして、計量販売においては、計量販売用の計量装置が広く使用されている。計量販売用の計量装置は、商品の計量を行う計量部と、計量部の計量値に基づいて販売金額を算出する演算部と、計量値や販売金額を表示する表示部と、所定の入力操作を受け付ける操作部と、を備えている。
【０００３】
従来の計量装置を使用して計量販売を行うときには、まず、購入者（客）が販売者（店員）に購入希望商品と重量とを伝える。販売者は、計量装置の操作部を操作して当該商品の情報を呼び出し、計量部により商品の計量を行う。計量装置の内部では、商品の計量値に基づいて販売金額が算出され、算出された販売金額が表示部に表示される。販売者は、表示部に表示された販売金額を購入者から受け取り、それと引き替えに商品を購入者に渡して、計量販売作業が終了する。
【０００４】
このような従来の計量装置は、例えば特許文献１に開示されている。
【０００５】
【特許文献１】特開平２−１３２３３０号公報
【発明の開示】
【発明が解決しようとする課題】
【０００６】
上記のように、従来の計量装置を使用して計量販売を行うときには、購入者から販売者へ現金の授受が行われる。しかしながら、この場合には、商品の計量、現金の受け取り、現金の計数、釣り銭の返却等の作業を、販売者が一度に行わなければならず、販売者の作業負担が大きかった。また、販売する商品が生鮮食品である場合には、商品の計量を行う販売者が現金の受け取りや現金の計数も行うことは、商品の衛生上好ましいことではなかった。
【０００７】
本発明は、このような事情に鑑みなされたものであり、計量販売における作業負担を軽減するとともに、商品の衛生状態も向上させることができる計量販売システムおよび計量装置を提供することを目的とする。
【課題を解決するための手段】
【０００８】
上記課題を解決するため、請求項１に係る発明は、商品の計量販売を行う計量販売システムであって、商品を計量する計量手段と、前記計量手段の計量値に基づいて商品の販売金額を算出する算出手段と、を有する本体部と、前記販売金額の電子マネーによる精算を行う精算部と、を備えることを特徴とする。
【０００９】
請求項２に係る発明は、請求項１に記載の計量販売システムであって、前記本体部は、前記精算部の精算動作を能動化させるための指示を入力する入力手段を更に有することを特徴とする。
【００１０】
請求項３に係る発明は、請求項１に記載の計量販売システムであって、前記本体部は、前記本体部の動作状態に応じて前記精算部の精算動作を制御する制御手段を更に有することを特徴とする。
【００１１】
請求項４に係る発明は、請求項３に記載の計量販売システムであって、前記制御手段は、前記計量手段および前記算出手段の動作が完了し、前記販売金額が確定すると、前記精算部の精算動作を能動化させることを特徴とする。
【００１２】
請求項５に係る発明は、請求項３または請求項４に記載の計量販売システムであって、前記制御手段は、前記計量手段から商品が取り除かれると、前記精算部の精算動作を無効化することを特徴とする。
【００１３】
請求項６に係る発明は、請求項１から請求項５までのいずれかに記載の計量販売システムであって、前記本体部は、前記精算部による精算結果を印字出力する出力手段を更に有することを特徴とする。
【００１４】
請求項７に係る発明は、請求項６に記載の計量販売システムであって、前記出力手段は、電子マネーによる精算結果を印字出力する第１の出力ユニットと、現金の授受による精算結果を印字出力する第２の出力ユニットとに切り替え可能であり、前記出力手段が前記第１の出力ユニットに切り替えられたときに、前記本体部と前記精算部との間の通信が能動化されることを特徴とする。
【００１５】
請求項８に係る発明は、請求項１から請求項７までのいずれかに記載の計量販売システムであって、前記本体部は、前記計量販売システムを、販売者による計量作業を受け付ける第１のモードと、購入者による計量作業を受け付ける第２のモードとに切り替えるモード切替手段を更に有することを特徴とする。
【００１６】
請求項９に係る発明は、請求項１から請求項８までのいずれかに記載の計量販売システムであって、前記本体部は、前記精算部による精算結果を集計する集計手段を更に有することを特徴とする。
【００１７】
請求項１０に係る発明は、商品の計量および販売金額の算出を行う計量装置であって、商品を計量する計量手段と、前記計量手段の計量値に基づいて前記販売金額を算出する算出手段と、電子マネーにより精算可能な精算装置と接続することにより、前記算出手段から前記精算装置へ前記販売金額の情報を転送可能にする通信手段と、を備えることを特徴とする。
【発明の効果】
【００１８】
請求項１から請求項９までに記載の発明によれば、計量販売システムは、商品を計量する計量手段と、計量手段の計量値に基づいて商品の販売金額を算出する算出手段と、を有する本体部と、販売金額の電子マネーによる精算を行う精算部と、を備える。このため、計量値に基づいて算出された販売金額を、電子マネーにより精算することができる。したがって、現金の授受、現金の計数、釣り銭の返却等の作業が不要となり、計量販売における作業負担が軽減する。また、現金を扱うことなく計量販売作業が完了するため、商品の衛生状態も向上する。
【００１９】
特に、請求項２に記載の発明によれば、本体部は、精算部の精算動作を能動化させるための指示を入力する入力手段を有する。このため、精算部の精算動作を能動化させるための指示を、本体部側において行うことができる。
【００２０】
特に、請求項３に記載の発明によれば、本体部は、本体部の動作状態に応じて精算部の精算動作を制御する制御手段を有する。このため、計量手段や算出手段の動作状態に応じて、適時に精算部の精算動作を能動化させることができる。
【００２１】
特に、請求項４に記載の発明によれば、制御手段は、計量手段および算出手段の動作が完了し、販売金額が確定すると、精算部の精算動作を能動化させる。このため、販売金額が確定した後、精算部を能動化させるための指示を外部から入力する必要はなく、計量販売作業が簡易化する。
【００２２】
特に、請求項５に記載の発明によれば、制御手段は、計量手段から商品が取り除かれると、精算部の精算動作を無効化する。このため、計量手段から商品を取り除く作業と、精算部を無効化させるための指示とを別個に行う必要はなく、計量販売作業が簡易化する。
【００２３】
特に、請求項６に記載の発明によれば、本体部は、精算部による精算結果を印字出力する出力手段を有する。このため、精算部の精算結果を本体部側において印字出力することができる。
【００２４】
特に、請求項７に記載の発明によれば、出力手段は、電子マネーによる精算結果を印字出力する第１の出力ユニットと、現金の授受による精算結果を印字出力する第２の出力ユニットとに切り替え可能であり、出力手段が第１の出力ユニットに切り替えられたときに、本体部と精算部との間の通信を能動化させる。このため、出力手段を第１の出力ユニットに切り替える作業と、本体部と精算部との間の通信を能動化させる作業とを、別個に行う必要はなく、計量販売作業が簡易化する。
【００２５】
特に、請求項８に記載の発明によれば、本体部は、計量販売システムを、販売者による計量作業を受け付ける第１のモードと、購入者による計量作業を受け付ける第２のモードとに切り替えるモード切替手段を更に有する。このため、計量販売システムを第１のモードに切り替えたときには、購入者の注文に応じて販売者が計量作業を行うことができる。また、計量販売システムを第２のモードに切り替えたときには、販売者を介することなく、購入者が自分自身で計量作業および購入作業を行うことができる。
【００２６】
特に、請求項９に記載の発明によれば、本体部は、精算部による精算結果を集計する集計手段を有する。このため、精算部による精算結果を本体部において集計し、営業情報として利用することができる。
【００２７】
また、請求項１０に記載の発明によれば、計量装置は、商品を計量する計量手段と、計量手段の計量値に基づいて販売金額を算出する算出手段と、電子マネーにより精算可能な精算装置と接続することにより、算出手段から精算装置へ販売金額の情報を転送可能にする通信手段と、を備える。このため、精算装置と接続して使用することにより、販売金額を電子マネーにより精算することができる。したがって、現金の授受、現金の計数、釣り銭の返却等の作業が不要となり、計量販売における作業負担が軽減する。また、現金を扱うことなく計量販売作業が完了するため、商品の衛生状態も向上する。
【発明を実施するための最良の形態】
【００２８】
以下、図面を参照しつつ本発明の実施形態について説明する。
【００２９】
＜１．計量販売システム１の構成＞
まず、本発明に係る計量販売システム１の構成について説明する。図１は、本発明に係る計量販売システム１の斜視図である。また、図２は、計量販売システム１における各部の接続関係を示したブロック図である。この計量販売システム１は、商品の計量販売を行うときに、商品の計量、販売金額の算出、および販売金額の精算を行うためのシステムであり、主として、本体部１０と精算部２０とを備えている。
【００３０】
本体部１０は、商品を計量し、その計量値に基づいて販売金額を算出する機能を有する計量装置により構成されている。本体部１０の上面には、計量を行う際に商品を載置するための計量台１１ａが設けられている。また、計量台１１ａの下方には、ロードセル等の重量センサ１１ｂが接続されている。このため、計量台１１ａ上に商品が載置されると、重量センサ１１ｂにより商品の重量が計量される。すなわち、計量台１１ａと重量センサ１１ｂとにより、計量部１１が構成されている。
【００３１】
本体部１０の前面には、表示部１２が設けられている。表示部１２には、商品の名称、商品の単価、商品の重量、販売金額等の種々の情報１２ａが表示される。また、表示部１２は、タッチパネル機能を有しており、表示部１２上に表示される種々のキー１２ｂにユーザが触れることにより、本体部１０に対して種々の指示が入力される。表示部１２上における各キー１２ｂの配置、サイズ、および色は、例えば他のキーを操作することにより、任意に変更可能となっている。このため、ユーザは、計量販売システム１の使用態様に応じて、複数のキー１２ｂの配置、サイズ、および色を任意に設定することができる。
【００３２】
また、表示部１２の近傍には、機械的に押下可能なキー操作部１３も配置されている。この計量販売システム１では、数値の入力や印字出力などの基本的な指示を入力するためのキーはキー操作部１３に配置されており、他の指示を入力するためのキーは、表示部１２上に表示させる構成となっている。
【００３３】
本体部１０の表示部１２およびキー操作部１３の側方には、出力部１４が設けられている。出力部１４は、精算部２０による精算結果をレシート用紙上またはラベル用紙上に印字する印字装置により構成されている。出力部１４の内部においては、本体部１０の前面側に設けられた発行口１４ａに向けてレシート用紙またはラベル用紙が搬送され、その紙面上に図示しない印字機構が精算結果を印字する。印字後のレシートやラベルは、発行口１４ａから外部へ排出される。なお、レシート用紙やラベル用紙は、所定のカセットに収納された状態で出力部１４にセットされる。
【００３４】
また、本体部１０には、精算部２０との間で通信を行うための通信部１５が設けられている。通信部１５は、通信線３０により精算部２０と接続されており、精算部２０との間で情報の送受信を行う。例えば、通信部１５は、精算部２０に対して販売金額の情報を送信し、精算部２０から精算結果の情報を受信する。
【００３５】
更に、本体部１０には、上記の計量部１１、表示部１２、キー操作部１３、出力部１４、および通信部１５の動作を制御するための制御部１６が設けられている。制御部１６は、ＣＰＵや記憶部を有するコンピュータにより構成されており、上記の各部と電気的に接続されている。制御部１６は、上記の各部との間で情報の送受信を行うとともに、所定のプログラムおよび外部から入力される指示に基づいてＣＰＵが演算処理を実行することにより、上記の各部の動作を制御する。特に、計量台１１ａ上に商品が載置されたときには、制御部１６は、計量部１１から転送される計量値のデータを取得し、その計量値と、記憶部に記憶された商品の単価とに基づいて、商品の販売金額を算出する算出手段として機能する。
【００３６】
一方、精算部２０は、電子マネーによる精算処理を行う精算装置により構成されている。精算部２０は、ＩＣカードとの間で電子マネー情報のやりとりを行うリーダライタ部２１と、リーダライタ部２１を制御する制御ボックス２２とを、通信線２３を介して接続した構成となっている。
【００３７】
リーダライタ部２１は、電磁波の送受信を行うアンテナ部２１ａを有している。電子マネー情報を保持したＩＣチップが埋設されているＩＣカードをアンテナ部２１ａに接近させると、アンテナ部２１ａは、ＩＣカード内に保持されている電子マネー情報の読み取りおよび書き換えを行い、これにより、精算処理が行われる。制御ボックス２２は、本体部１０からの指示を受けて、アンテナ部２１ａの通信動作を能動化または無効化する。また、制御ボックス２２は、本体部１０から転送される販売金額の情報を受け、ＩＣカード内の残額から販売金額を減額させるように、アンテナ部２１ａを動作させる。
【００３８】
また、制御ボックス２２は、電子マネーの流通を管理する管理サーバ４０と外部回線４１を介して接続されている。精算部２０において精算処理を行うときには、その取引情報が、制御ボックス２２から外部回線４１を介して管理サーバ４０へ送信される。また、精算処理が完了すると、精算結果が、制御ボックス２２から通信線３０を介して本体部１０へ転送される。
【００３９】
このような計量販売システム１において、計量台１１ａ上に商品が載置されると、重量センサ１１ｂにより商品の重量が計量される。重量センサ１１ｂにおいて取得された計量値は、重量センサ１１ｂから制御部１６へ送信され、制御部１６は、受信した計量値および商品の単価に基づいて、販売金額を算出する。算出された販売金額の情報は、表示部１２に表示されるとともに、通信部１５および通信線３０を介して精算部２０へ転送される。その後、リーダライタ部２１に購入者のＩＣカードが近づけられると、リーダライタ部２１は、ＩＣカード内の残額を読み取るとともに、販売金額分を減額した額にＩＣカード内の残額情報を書き換える。その後、制御ボックス２２から本体部１０へ精算結果が転送されて、表示部１２に精算結果が表示される。
【００４０】
以上が、計量販売システム１の構成および計量販売システム１の基本的動作であるが、より具体的には、この計量販売システム１は、販売者が計量作業を行う第１のモードと、購入者が計量作業を行う第２のモードとに、切り替えて使用することができる。以下では、各モードにおける計量販売作業の流れについて、更に説明する。
【００４１】
＜２．第１のモード（販売者が計量作業を行う場合）＞
第１のモードは、購入者の注文に応じて販売者が計量作業を行う場合に使用するモードである。計量販売システム１を第１のモードで使用する場合には、計量販売システム１は販売者と購入者との間に配置される。そして、本体部１０の表示部１２やキー操作部１３を販売者側に向けるとともに、精算部２０のリーダライタ部２１を購入者側に向けた状態で使用される。
【００４２】
図３は、計量販売システム１を第１のモードで使用する場合の計量販売作業の流れを示したフローチャートである。まず、販売者は、計量販売システム１を第１のモードに切り替える（ステップＳ１１）。具体的には、図４に示したように、表示部１２に表示されるモード切り替えキーＫ１に販売者が触れることにより、モードを切り替えるための指示が入力される。制御部１６は、モード切り替えキーＫ１から入力された指示を受けると、表示部１２に第１のモード用の作業画面を表示させる。第１のモード用の作業画面には、図５に示したように、商品の計量値、単価、販売金額等の情報１２ａが表示されるとともに、商品を選択するための選択キーＫ２や、精算部の精算動作を能動化させるための精算キーＫ３が表示される。
【００４３】
図３に戻り、次に、購入者は、販売者に購入希望商品と重量とを伝える（ステップＳ１２）。販売者は、表示部１２上の選択キーＫ２を操作して、指定された商品の情報を呼び出し（ステップＳ１３）、計量台１１ａ上に当該商品を載置する。計量台１１ａ上に商品が載置されると、重量センサ１１ｂは、載置された商品の重量を計量して計量値を制御部１６に転送する（ステップＳ１４）。そして、制御部１６は、その計量値に基づいて販売金額を算出するとともに、計量値および販売金額を表示部１２に表示する（ステップＳ１５）。なお、表示部１２に表示された計量値および販売金額が購入者の希望と異なる場合には、販売者は、計量台１１ａ上に載置されている商品の分量を調節する。
【００４４】
商品の販売金額が確定すると、販売者は、表示部１２上の精算キーＫ３に触れることにより、精算部２０を能動化させるための指示を入力する。制御部１６は、精算キーＫ３から入力された指示を、通信部１５および通信線３０を介して精算部２０の制御ボックス２２へ転送する。そして、制御ボックス２２は、当該指示を受けてリーダライタ部２１の通信動作を能動化させ、ＩＣカードの接近を待ち受ける状態にする。また、これと同時に、制御部１６は、通信部１５および通信線３０を介して精算部２０へ、販売金額の情報を送信する。
【００４５】
その後、購入者は、自己の電子マネー情報を保持したＩＣカードをリーダライタ部２１のアンテナ部２１ａに接近させる。リーダライタ部２１は、ＩＣカード内の残額を読み取るとともに、販売金額分を減額した額にＩＣカード内の残額情報を書き換えることにより、精算処理を行う（ステップＳ１７）。精算部２０における精算処理が完了すると、制御ボックス２２から本体部１０へ精算結果が転送されて、表示部１２に精算結果が表示される。
【００４６】
表示部１２に精算結果が表示されると、販売者は、キー操作部１３に配置された印字キーを押下することにより、レシートを印字出力するための指示を入力する。制御部１６は、印字キーからの指示を受けると、出力部１４を制御して、レシート用紙上に精算結果を印字させる（ステップＳ１８）。販売者は、発行口１４ａから出力されたレシートを、商品とともに購入者に渡して、計量販売作業を終了する（ステップＳ１９）。
【００４７】
＜３．第２のモード（購入者が計量作業を行う場合）＞
一方、第２のモードは、販売者を介することなく、購入者が自分自身で計量作業および購入作業を行う場合に使用するモードである。計量販売システム１を第２のモードで使用する場合には、計量販売システム１は、表示部１２、キー操作部１３、およびリーダライタ部２１を、いずれも購入者側に向けた状態で配置されて使用される。なお、以下の例では、取り扱う商品は１種類であるものとし、商品の選択は不要であるものとして説明する。
【００４８】
図６は、計量販売システム１を第２のモードで使用する場合の計量販売作業の流れを示したフローチャートである。まず、販売者は、計量販売システム１を第２のモードに切り替える（ステップＳ２１）。具体的には、図４に示したように、表示部１２に表示されるモード切り替えキーＫ１に販売者が触れることにより、モードを切り替えるための指示が入力される。制御部１６は、モード切り替えキーＫ１から入力された指示を受けると、表示部１２に第２のモード用の作業画面を表示させる。第２のモード用の作業画面には、図７に示したように、商品の計量値、単価、販売金額等の情報１２ａが表示されるとともに、購入者に対するガイダンスメッセージ１２ｃが表示される。
【００４９】
表示部１２には、まず「商品を計量台の上に置いてください」とのガイダンスメッセージが表示されている。購入者は、このガイダンスメッセージに従い、計量台１１ａ上に商品を載置する（ステップＳ２２）。計量台１１ａ上に商品が載置されると、重量センサ１１ｂは、載置された商品の重量を計量して計量値を制御部１６に転送する（ステップＳ２３）。そして、制御部１６は、その計量値に基づいて販売金額を算出するとともに、計量値および販売金額を表示部１２に表示する（ステップＳ２４）。
【００５０】
第２のモードでは、商品の計量値が安定して販売金額が確定すると、制御部１６は、通信部１５および通信線３０を介して精算部２０へ、精算動作を能動化させるための指示を送信する（ステップＳ２５）。精算部２０の制御ボックス２２は、当該指示を受けてリーダライタ部２１の通信動作を能動化させ、ＩＣカードの接近を待ち受ける状態にする。また、これと同時に、制御部１６は、通信部１５および通信線３０を介して精算部２０へ、販売金額の情報を送信する。
【００５１】
表示部１２には、商品の重量や販売金額が表示されるとともに、「ＩＣカードを近づけて下さい」とのガイダンスメッセージが表示される。購入者は、このガイダンスメッセージに従い、自己の電子マネー情報が記録されたＩＣカードをリーダライタ部２１のアンテナ部２１ａに接近させる。リーダライタ部２１は、ＩＣカード内の残額を読み取るとともに、販売金額分を減額した額にＩＣカード内の残額情報を書き換えることにより、精算処理を行う（ステップＳ２６）。精算部２０における精算処理が完了すると、制御ボックス２２から本体部１０へ精算結果が転送されて、表示部１２に精算結果および「精算を完了しました」とのガイダンスメッセージが表示される。
【００５２】
購入者は、表示部１２に表示された精算結果を確認し、商品を計量台１１ａから取り上げて当該商品を店舗から持ち出す（ステップＳ２７）。商品が計量台１１ａから取り除かれ、計量部１１の計量値が零点に戻ると、表示部１２のガイダンスメッセージは「商品を計量台の上に置いて下さい」に戻り、計量販売作業が完了する。
【００５３】
なお、第２のモードでは、精算部２０を能動化させた後精算処理を行う前（ステップＳ２５とステップＳ２６との間）に、購入者が計量台１１ａから商品を取り除くと、精算部２０の精算動作は無効化される。これは、計量部１１の計量値が零点に戻ったときに、制御部１６から精算部２０へ精算動作を無効化させるための指示を送信することにより、実現される。精算部２０の制御ボックス２２は、一旦受信した販売金額の情報を消去するとともに、リーダライタ部２１の通信動作を停止させることにより、精算動作を無効化する。また、制御部１６は、表示部のガイダンスメッセージを「ＩＣカードを近づけて下さい」から「商品を計量台の上に置いて下さい」に戻す。これにより、購入者は、表示部１２に表示された販売金額を確認した後に購入を中止することができる。また、購入を中止した後に、他の購入者が計量販売システム１を通常通り使用することができる。
【００５４】
＜４．その他＞
上記のように、この計量販売システム１では、本体部１０において商品を計量し、その計量値に基づいて販売金額を算出する。そして、算出された販売金額を精算部２０へ転送し、精算部２０において電子マネーによる精算を行う。このため、現金の授受、現金の計数、釣り銭の返却等の作業が不要となり、計量販売における作業負担が軽減する。また、現金を扱うことなく計量販売作業が完了するため、商品の衛生状態も向上する。また、第２のモードでは、本体部１０の動作状態に応じて精算部２０の精算動作が自動的に能動化および無効化される。このため、精算部２０の精算動作が適時に能動化および無効化され、計量販売作業が簡易化するとともに誤精算を防止することができる。
【００５５】
なお、本発明は、上記の例に限定されるものではない。例えば、上記の精算部２０は、リーダライタ部２１と制御ボックス２２とに分離していたが、これらを一体的に構成してもよい。また、上記のアンテナ部２１ａは、ＩＣカードとの間で通信を行うものであったが、電子マネー情報を保持しているＩＣカード以外の媒体との間で通信を行うものであってもよい。例えば、アンテナ部２１ａは、電子マネー情報を保持した携帯電話機との間で通信を行うものであってもよい。
【００５６】
また、計量販売システム１にＩＣカード内の残高情報を照会する機能を付加してもよい。例えば、第２のモードの作業画面上に残高照会キーを設け、購入者が残高照会キーに触れることにより、残高照会処理を能動化させる構成とすればよい。残高照会処理が能動化されると、精算部２０のリーダライタ部２１は待機状態となり、購入者のＩＣカードがリーダライタ部２１に近づけられると、リーダライタ部２１がＩＣカードに保持されている残高情報を読み取る。精算部２０は、読み取った残高情報を本体部１０へ転送し、本体部１０の表示部１２に残高情報を表示する。このようにすれば、購入者は、精算前にＩＣカード内の残高情報を確認することができる。また、このような残高照会キーを設けなくとも、図７のように「商品を計量台の上に置いて下さい」のガイダンスメッセージが表示されているときにリーダライタ部２１を待機状態にしておき、ＩＣカードをリーダライタ部２１に近づけるとＩＣカード内の残高情報が自動的に読み取られて表示部１２に表示されるように構成してもよい。
【００５７】
また、上記の計量販売システム１は、任意の量に計量される商品を販売するためのシステムであったが、このような商品だけでなく、定額商品も販売できるように構成されていてもよい。例えば、図８に示したように、第２のモードの作業画面に定額商品（例えば「ご飯大」、「ご飯小」、「みそ汁」等）を選択するためのキーＫ４を設け、購入者がキーＫ４に触れることにより、定額商品を選択できる構成とすればよい。また、本体部１０にバーコードリーダを設け、ペットボトルや缶飲料等の定額商品に付されているバーコードをバーコードリーダにより読みとることにより、定額商品を指定できる構成としてもよい。上記のキーＫ４やバーコードリーダにより商品が指定されると、指定された商品の販売金額の情報が精算部２０へ送信され、精算部２０において電子マネーによる精算を行う。
【００５８】
また、上記の計量販売システム１は、電子マネーによる精算処理のみを行うものであったが、電子マネーによる精算処理と、現金の授受による精算処理とを、選択的に実行できる構成であってもよい。例えば、図９に示したように、電子マネーによる精算結果を印字するためのレシートを格納した第１のカセットＣ１と、現金の授受による精算結果を印字するためのレシートを格納した第２のカセットＣ２とを用意し、これらを選択的に出力部１４にセットして使用するようにしてもよい。また、第１のカセットＣ１を出力部１４にセットしたときに、本体部１０と精算部２０との間の通信が能動化されるように通信部１５を制御してもよい。
【００５９】
また、計量販売システム１は、精算部２０から本体部１０に転送された精算結果を、制御部１６において記憶・集計できるように構成されていてもよい。また、精算時刻、販売商品、販売金額等の精算結果の他に、購入者の性別や年齢等の付随情報を、制御部１６において記憶・集計できるように構成されていてもよい。このようにすれば、これらの情報を営業情報として利用することができる。
【００６０】
また、上記の第２のモードでは、取り扱う商品は１種類であるものとしたが、第２のモードにおいても、複数の商品を選択できるように構成してもよい。例えば、第２のモード用の作業画面において、表示部に商品を選択するための選択キーを表示し、購入者が選択キーを操作することによって商品の情報を呼び出す構成にしてもよい。また、計量台１１ａ上に商品とともに載置される容器（風袋）に商品の単価等の情報を記憶させたＲＦＩＤタグを取り付け、本体部１０側に設けられた所定のセンサによりＲＦＩＤタグの情報を読み取って商品の単価を自動的に認識できるように構成してもよい。
【００６１】
また、上記の第２のモードでは、レシートは発行されなかったが、購入者の操作により、または、精算処理の終了後自動的に、出力部１４からレシートが発行されるように構成してもよい。また、上記の構成では、印字キーはキー操作部１３に配置されていたが、印字キーも表示部１２上に表示させるように構成してもよい。また、表示部１２上に表示されるモード切り替えキーＫ１や作業画面の表示態様は、図４、図５、図７の例に限定されるものではなく、他の表示態様であってもよい。
【００６２】
また、上記の第２のモードにおいて、購入者が商品を計量台１１ａから取り上げた後、表示部１２のガイダンスメッセージが「商品を計量台の上に置いてください」に切り替わるまでの時間を任意に設定できるようにしてもよい。このようにすれば、多数の購入者が来店しているときには切り替え時間を短縮することができ、複数の購入者への販売効率を向上させることができる。
【００６３】
本発明において計量販売の対象となる商品は、例えば精肉や鮮魚などの生鮮食品であるが、このような生鮮食品に限定されるものではなく、計量可能な商品一般が対象となる。
【図面の簡単な説明】
【００６４】
【図１】計量販売システムの斜視図である。
【図２】計量販売システムにおける各部の接続関係を示したブロック図である。
【図３】第１のモードにおける計量販売作業の流れを示したフローチャートである。
【図４】モード切り替えキーが表示された表示部を示した図である。
【図５】第１のモード用の作業画面が表示された表示部を示した図である。
【図６】第２のモードにおける計量販売作業の流れを示したフローチャートである。
【図７】第２のモード用の作業画面が表示された表示部を示した図である。
【図８】定額商品を選択するためのキーが表示された表示部を示した図である。
【図９】出力部におけるカセットの切り替えを概念的に示した図である。
【符号の説明】
【００６５】
１    計量販売システム
１０    本体部（計量装置）
２０    精算部（精算装置）
１１    計量部
１２    表示部
１３    キー操作部
１４    出力部
１５    通信部
１６    制御部
２１    リーダライタ部
２１ａ    アンテナ部
２２    制御ボックス
２３    通信線
３０    通信線
４０    管理サーバ
Ｃ１，Ｃ２    カセット
Ｋ１    モード切り替えキー
Ｋ２    選択キー
Ｋ３    精算キー
【図１】
2007225551.tif 000003
【図２】
2007225551.tif 000004
【図３】
2007225551.tif 000005
【図４】
2007225551.tif 000006
【図５】
2007225551.tif 000007
【図６】
2007225551.tif 000008
【図７】
2007225551.tif 000009
【図８】
2007225551.tif 000010
【図９】
2007225551.tif 000011